【事件の表示】
　平成　９年特許願第２７６１００号「画像読取装置」拒絶査定不服審判事件〔平成１１年　４月２３日出願公開、特開平１１−１１２７１９〕について、次のとおり審決する。
【結　論】
　本件審判の請求は、成り立たない。
【理　由】
１．手続きの経緯
　本願は、平成９年１０月８日に出願されたものであって、平成１７年５月２４日付けで拒絶査定がされ、これに対して平成１７年６月３０日に拒絶査定不服審判が請求されると共に同年７月２８日に手続補正がなされたものである。　
　
２．平成１７年７月２８日付けの手続補正の適否について
　平成１７年７月２８日付けの手続補正により、特許請求の範囲は、
　「【請求項１】　写真フィルムを副走査方向に搬送して、前記副走査方向と交差する主走査方向に画像の読み取りを行う画像読取装置において、
　フィルム挿入口からフィルム搬送部へ挿入された前記写真フィルムの先端を検出する先端検出センサと、前記先端検出センサの検出信号に基づき、前記フィルム搬送部へ挿入された前記写真フィルムを搬送する搬送ローラと、前記先端検出センサの検出信号に基づき、写真フィルムが画像読取中であることをオペレーターに通知する通知手段と、を備えていることを特徴とする画像読取装置。」
と補正された。
　
　前記補正は、補正前の特許請求の範囲の請求項１を削除するもの等であり、特許法第１７条の２第４項第１号の特許請求範囲の請求項の削除を目的とするものに該当するから、適法である。
　
３．本願発明について
　本願の特許請求の範囲の請求項１に係る発明は、平成１７年７月２８日付けの手続補正書により補正された明細書及び図面の記載からみて、その特許請求の範囲の請求項１に記載されたとおりのものと認められるところ、その請求項１に記載された発明（以下、「本願発明」という。）は、次のとおりである。
　
　「【請求項１】　写真フィルムを副走査方向に搬送して、前記副走査方向と交差する主走査方向に画像の読み取りを行う画像読取装置において、
　フィルム挿入口からフィルム搬送部へ挿入された前記写真フィルムの先端を検出する先端検出センサと、前記先端検出センサの検出信号に基づき、前記フィルム搬送部へ挿入された前記写真フィルムを搬送する搬送ローラと、前記先端検出センサの検出信号に基づき、写真フィルムが画像読取中であることをオペレーターに通知する通知手段と、を備えていることを特徴とする画像読取装置。」
　　
４．引用例
　原審が拒絶の理由に引用した特開平９−２２４１２３号公報（平成９年８月２６日出願公開。以下、「引用例１」という。）には、図面と共に次の各記載がある。
　
（ア）「【００１７】図１は、本発明の第１の実施形態であるスキャナ装置の構成を示したブロック回路図であり、
画像取り込み部であるスキャナ本体にカートリッジフィルム用アダプタが装着された状態を示している
図２は、上記実施形態のスキャナ装置におけるカートリッジフィルム用アダプタおよびフィルム情報検出部とその周辺部を示した要部斜視図である
【００１８】図１に示すように、このスキャナ装置は、画像取り込み側の装置としてのスキャナ本体１を備え、該スキャナ本体１の中程に、
カートリッジフィルム用アダプタ２の装着部が形成されている。この装着部にカートリッジフィルム用アダプタ２を装着した後に、該カートリッジフィルム用アダプタ２に装填されたカートリッジフィルムの所定の画像を取り込むようになっている
　なお、下線は審決において附された。以下同様。
　
（イ）「【００２３】次に、上記
スキャナ本体１における副走査駆動系に関する説明を行う
【００２４】本実施形態のスキャナ装置は、フィルムあるいは原稿の副走査の駆動力源であるステッピングモータ６を備え、該ステッピングモータ６により後述するキャリッジ８を駆動し、上記フィルムあるいは原稿を副走査するようになっている。このステッピングモータ６は、スキャナ本体制御手段３８に制御されたステッピングモータ駆動手段５により駆動され、該ステッピングモータ６のピニオンギアー１１に噛合するギアー１０，このギアー１０と一体的に回動する送りねじ９を介してキャリッジ８に伝達されるようになっている。
【００２５】上記キャリッジ８にはスキャナ本体１の後方（図中、右側）より順にラインＣＣＤ７、撮像レンズ光学系２８、蛍光灯４１が同軸上に固定されており、該
キャリッジ８の走査（副走査）とラインＣＣＤ７の走査（主走査）により１枚の画像の電気出力が得られるようになっている
【００２６】また、上記キャリッジ８は後方部において上記送りネジ９に螺合しており、上述したように該送りネジ９はギアー１０，ステッピングモータ６のピニオンギアー１１を介してステッピングモータ６に連結されている。
【００２７】さらに、上記キャリッジ８は前方部（図中、左側）において、スキャナ本体１に固定されたスライドバー４２に連結されており、スキャナ本体１の左右方向（図中、上下方向）に移動可能となっている。
【００２８】以上より、ステッピングモータ６の回動量（ステップ駆動）に応じたステップの副走査駆動が行われる。なお、上記ステッピングモータ６の最小単位ステップはＣＣＤ７のピクセル幅がフィルム面に投影される大きさに基づいて通常その自然数分の１に決定される。
【００２９】本実施形態のスキャナ装置のように撮像光学系がズーム光学系であり、上記ピクセル幅が変わる場合は、それぞれの単位ステップのうちで、できるだけ近い値の単位ステップを選べばズーム値に応じた単位ステップの副走査を行うことができる。
【００３０】キャリッジ８の移動量およびその位置は、スタートフォトインタラプタ１２およびエンドフォトインタラプタ１５の出力信号に同期してステッピングモータ６の駆動パルス量を数えることによって求められる。なお、詳細は後述する。
【００３１】撮像画面に対する相対位置は、不図示のＥＥＰＲＯＭに書き込まれた調整値と上記駆動パルス量に基づいて演算することができ、所定の画像の取り込みを行うことができる。
【００３２】上記キャリッジ８の後端部両側方には、スタートフォトインタラプタ１２，エンドフォトインタラプタ１５が配設されている。また、該キャリッジ８の後端部両側面には、上記フォトインタラプタ１２，１５に対応する遮光部材１３，１４が突設されており、該キャリッジ８のスキャン開始位置、終了位置はこのフォトインタラプタ１２，１５により検出されるようになっている。すなわち、キャリッジ８の移動に伴う遮光部材１３，１４の移動によりフォトインタラプタ１２，１５が該遮光部材１３，１４による遮光状態にあるか、非遮光状態にあるか検出することが可能となっている。
【００３３】そして、上記フォトインタラプタ１２，１５が遮光状態になった時点で、ステッピングモータ６の現在の方向へのそれ以上の駆動は禁止されるようになっている。」
　
（ウ）「【００３４】次に、上記スキャナ本体１に装着される
カートリッジフィルム用アダプタ２におけるフィルム駆動手段に関する説明を行う
【００３５】画像取り込み対象である
フィルムはカートリッジフィルム用アダプタ２に収納
【００３６】上記フィルム駆動用モータ１７はフィルム駆動手段１９により制御され、フィルムの巻き上げ、巻き戻しが行われる。ここで、フィルムの駆動量は不図示のフィルムパーフォレーション検出用フォトリフレクタ並びに、フィルム従動フォトインタラプタからのより細かなパルス出力により検出され、これに基づいて、フィルム駆動制御が行われるようになっている。また、上記
フィルム駆動手段１９はカートリッジフィルム用アダプタ２に配設された制御手段４４により制御されるようになっている
【００３７】上記制御手段４４はこの他にも、カートリッジフィルム用アダプタ２がスキャナ本体１に装着された際に、スキャナ本体１内に配設されたスキャナ本体制御手段３８と通信を行い、カートリッジフィルムの磁気情報、光学情報、アダプタ状態情報、調整値情報等の情報伝送およびコマンド受信等を行うようになっている。
【００３８】上記カートリッジフィルム用アダプタ２がスキャナ本体１に装着された後、上述したように画像取り込み対象の駒が設定されると、フィルム画面は、アダプタの種別により、固有のズーム光学系２８によりズーミングされ、ＣＣＤ７に投影されるようになっている。
【００３９】また、フィルム画面サイズは、使用するアダプタと一意関係を有するので、これにより、フィルム画面のサイズにかかわらず、主走査方向の取り込み画素数をほぼ同一に保つことができる。」
　
（エ）「【００５３】次に、本実施形態のスキャナ装置における磁気・光学情報検出・フィルム駆動系に関する説明を行う。
【００５４】図２は、本実施形態のスキャナ装置におけるカートリッジフィルム用アダプタの要部電装部を示した要部斜視図である。
【００５５】図に示すように、スキャナ本体１に装着されるカートリッジフィルム用アダプタ２の内には、フィルムカートリッジ５０が装填されるようになっている。
該フィルムカートリッジ５０の底部にはデータディスク５９が配設されており、さらに、該フィルムカートリッジ５０がカートリッジフィルム用アダプタ２に装填された際に、該データディスク５９の近傍には、同データディスク５９のデータを読みとるフォトリフレクタ５２が配設されている
【００５６】そして、上記データディスク５９のデータは、フィルムを巻き戻し駆動して該データディスク５９を回動させ、その白黒パターンをフォトリフレクタ５２で読み取ることにより行われるようになっている。
【００５７】なお、上記
データディスク５９には、カートリッジのフィルム枚数、ネガ・ポジ情報、ＩＳＯ情報等が記録されている
【００５８】上記
フィルムカートリッジ５０のフィルムには磁気トラックが形成されており、フィルムが走行すると、フィルムに記録されている磁気情報は、磁気再生ヘッド５５、磁気再生回路５１を通じてをフィルムカートリッジ制御手段４４に入力されるようになっている
【００５９】また、上記フィルムカートリッジ制御手段４４は、磁気書き込みヘッド５６を介して上記磁気トラックにフィルムの管理情報（焼き増し枚数、キャプション指定、フィルムカートリッジ管理コード、フィルム駒アルバム編集用制御コード等）を書き込むことができるようになっている。
【００６０】上記
磁気情報の読み出しおよび書き込みは、フィルムのパーフォレーション５８を検出するフォトリフレクタ５４、フィルムの駆動量に応答してもっと細かいパルスを出力するフォトインタラプタ５３によるタイミングに基づいて実行されるようになっている
【００６１】さらに、上記
フィルムカートリッジ制御手段４４は、フィルムに記録された光学情報（バーコード情報、フィルム天地情報、フィルムアスペクト情報等）をフォトトランジスタ６０，６１から読み取ることができるようになっている
【００６２】また、上記フィルムカートリッジ制御手段４４は、上記出力信号をフィルムのネガ・ポジ判定に基づいてＨ／Ｌ逆転デコードし、光学情報を取り出してスキャナ本体１側のスキャナ本体制御手段３８に送信するようになっている。」
　
（オ）「【００９３】次に、図８ないし図１３に示すフローチャートを参照して、本実施形態のスキャナ装置の動作を説明する。
【００９４】図８ないし図１１は、本実施形態のスキャナ本体側の動作を説明するための便宜的なフローチャートである。
【００９５】図１２，図１３は、本実施形態のスキャナ本体に接続されるパーソナルコンピュータのモニタ表示画面動作を説明するフローチャートである。
【００９６】図８，図９は、スキャナ本体側がパワーオンした場合に開始する処理ルーチンを示すフローチャートである。
【００９７】まず、スキャナ本体１の電源がオンされるとステップＳ１００から起動する。次に、ステップＳ１０１において、上記蛍光灯４１（ＣＦＬ）を点灯する。これは、本実施形態の蛍光灯４１として採用するＣＦＬ（冷陰極管）は、点灯直後から数十秒間は光量並びに色が安定しないため、できるだけスキャン以前に安定時間をかせいでおくことが必要であるからである。したがって、蛍光灯４１として熱陰極管を使用した場合は点灯せずにヒータオンで良い。
【００９８】
ステップＳ１０２において、さらに、上記スキャナ本体制御手段３８は、カートリッジフィルム用アダプタ２がスキャナ本体１に装着されているか否か判断する。この判断は、カートリッジフィルム用アダプタ２に配設されたアダプタ識別手段４３の出力をスキャナ本体制御手段３８が読み取ることにより行われる
【００９９】このアダプタ識別手段４３としては、単にカートリッジフィルム用アダプタ２とスキャナ本体１との電気的接続の有無によるビットコード検出とか、反射率、透過率差異に基づくビットコードを光学的に読み取るとか、ＥＥＰＲＯＭ等の記憶素子に書き込まれたビットコードを読み取る等、種々考えられる。また、単なる抵抗値、電圧値等のアナログデータでも良い。
【０１００】本実施形態では、簡単に、
００…アダプタ未装着
０１…１３５フィルムアダプタ（ストリップフィルム
１０…１３５フィルムアダプタ（ピースフィルム）
１１…カートリッジフィルムアダプタ
に、ビットコードが振り分けられている。
【０１０１】上記
ビットコードを検出することにより、スキャナ本体制御手段３８は、カートリッジフィルム用アダプタ２の装着の有無、並びに装着されたアダプタの種類を判断することができるようになっている
【０１０２】具体的には、アダプタフラグＡＤＰＴＦＬＧに上記コードを記憶し、以下の処置を上記フラグに基づいて実行する。
【０１０３】
すなわち、ＡＤＰＴＦＬＧ＝（０，０）以外であるならばステップＳ１０３に移行し、ここで、パーソナルコンピュータのモニタ画面にアダプタ未装着の警告表示するコマンドを送出た後、上記ステップＳ１０２に戻る
【０１０４】
ここで、パーソナルコンピュータのモニタ画面には、スキャナ本体１にカートリッジフィルム用アダプタ２が未装着であることを警告するダイアログボックスが表示される
【０１０５】すなわち、ＡＤＰＴＦＬＧ＝（０，０）以外であるならばステップＳ１０４に移行し、ここで、各ＡＤＰＴＦＬＧに対応する必要なズーム処理並びにピント処理を行う。
【０１０６】ステップＳ１０４において、スキャナ本体制御手段３８は、アダプタに応じた各ＡＤＰＴＦＬＧに対応する必要なズーム・ピント処理を行う。ここで、１３５フィルムの画面サイズは２４mm×３６mmであり、一方カートリッジフィルムの画面サイズは１７mm×３０mmであるので、設定されるズーム値は対象とする画面の主走査方向の大きさに略逆比例するような値にセットされる。すなわち、
（カートリッジフィルムアダプタのズーム値）
＝１．５×（１３５フィルムアダプタのズーム値）
となっている。
【０１０７】また、このズーム移動に伴って、ピント移動の起ること、また、アダプタ毎に画面位置が異なるので、アダプタ交換毎に、ズーム移動が行われ、且つピント調整処理が行われる。
【０１０８】ステップＳ１０５において、ここでは、画面取り込み対象のフィルム判断がアダプタフラグによって行われる。すなわち、ＡＤＰＴＦＬＧ＝（０，１）であるならば図９に示すステップＳ１０８に移行し、また、ＡＤＰＴＦＬＧ＝（１，０）であるならばステップＳ１０７に移行し、ＡＤＰＴＦＬＧ＝（１，１）であるならばステップＳ１０６に移行する。
【０１０９】
ステップＳ１０６において、ここでは、１３５フィルムアダプタ（ストリップフィルム）用の初期設定を行いパーソナルコンピュータからのコマンド待ちになる
【０１１０】ステップＳ１０７において、ここでは、１３５フィルムアダプタ（ピースフィルム）用の初期設定を行いパーソナルコンピュータからのコマンド待ちになる。
【０１１１】図９に移って、
ステップＳ１０８において、フィルムカートリッジ５０がカートリッジフィルム用アダプタ２に挿填されると、不図示のカートリッジの有無検出スイッチがオンし、これをスキャナ本体制御手段３８が検知する。フィルムカートリッジ５０が検知できないときは、ステップＳ１１４に移行し、フィルムカートリッジ５０が検知できたときはステップＳ１０９に移行する
【０１１２】ステップＳ１０９において、ここではリワインド処理が行われる。詳しくは、フィルムがフィルムカートリッジ５０（図２参照）からでているときは、フィルムをフィルムカートリッジ５０に収納する。なお、フィルムがフィルムカートリッジ５０から出ているか否かの判断は、不図示のＥＥＰＲＯＭに記憶された現状フィルム駒数から判断する。
【０１１３】次に、ステップＳ１１０において、蛍光灯４１を消灯する。すなわち、オートロード処理が行われると、この処理中には磁気再生処理が含まれ、この磁気再生処理は蛍光灯駆動ノイズに非常に弱いため、蛍光灯を消灯する。
【０１１４】ステップＳ１１１において、ここでオートロード処理が行われる。詳しくは、まず、データディスク５９（図２参照）の情報を読み取り完了するまで、フィルム巻き戻し動作を継続する。上記フィルムカートリッジ制御手段４４で読み取られたデータは、スキャナ本体制御手段３８に送信され、該制御手段３８内の不図示の記憶手段に記憶され、後に、通信手段３７を通じてパーソナルコンピュータ３６へ転送される。
【０１１５】上記フィルムカートリッジ制御手段４４における上記データディスク５９の情報を読み取り完了後、フィルムのリーダー部に記録された磁気情報およびフィルム光学情報、たとえばフィルムタイプ（ネガあるいはポジ）、メーカフィルムＩＤNo．を読み取りつつ、
フィルム駆動手段１９によりフィルムを１駒目まで駆動する
【０１１６】ここで、フィルムカートリッジ制御手段４４により読み取られたデータディスク５９のデータは、スキャナ本体制御手段３８内の不図示の記憶手段に記憶され、後に、通信手段３７を通じてパーソナルコンピュータ３６へ転送される。
【０１１７】また、上記
フィルムの光学情報はバーコードで記録されている
【０１１８】上記バーコードは、フィルムのリーダ部にフィルムのＩＤを示すフィルムＩＤとそのフィルムカートリッジ５０に入っているフィルムの全駒数等が書き込まれている。さらに、
フィルムの１駒毎に、メーカーコードとフィルム種別コードとフィルム駒No．が書き込まれている
【０１１９】ここで、検出された、（メーカコード）×（フィルム種別コード）の組み合わせを、パーソナルコンピュータ３６に伝え、該パーソナルコンピュータ３６に蓄えられたフィルムデータからフィルムの種別を特定し、それにあったガンマ変換量や、照明条件、ＣＣＤ積分条件、並びに、ＬＵＴ等の色変換アルゴリズムに変更することにより、高い品位の画像データ取り込みが達成される。
【０１２０】なお、上記バーコードは、赤系の色で書き込まれているので、赤のＬＥＤ照明により読み出すことができる。
【０１２１】上記赤色ＬＥＤ並びに受光素子は、図２に示されるように、スキャナ本体１の画像取り込み領域のフィルムカートリッジ５０側で１駒がセットされるまでにその光学情報を読み込むことのできる位置に配置されている。
【０１２２】ここで、本実施形態のスキャナ装置では、上述したようにバーコード読み込みを行ったが、バーコードの読み込み手法は、上記に限るものではなく、たとえば、図１に示されるＣＣＤ７により読み取るようにしても良い。
【０１２３】次に、ステップＳ１１２において、磁気再生処理が終了したならば蛍光灯４１を点灯し、該蛍光灯４１の管の温度をできるだけ保持させ、光量、色の安定度を保つように配慮する。
【０１２４】なお、熱陰極管の場合は、このように、点灯制御をする必要はなく、ヒータをオンし続けて、スキャン直前に蛍光灯を点灯するようにすれば良い。
【０１２５】ステップＳ１１３においては、パーソナルコンピュータ３６へのデータ転送処理が行われる。詳しくは、上記データディスク５９の情報およびフィルムのリーダ部に記録された磁気情報および、フィルム光学情報、たとえばフィルムタイプ（ネガ・ポジ）、メーカ、フィルムＩＤNo．をパーソナルコンピュータ３６に転送する。
【０１２６】
ステップＳ１１４においては、フィルムカートリッジ５０が新たに装填されたか否かが判断される。ここで、はじめてフィルムカートリッジ５０が装填されていれば、ステップＳ１１６において、前述と同様の「オートロード処理」を行う。また、フィルムカートリッジ５０が装填されていなければ、ステップＳ１１９へ移行する
【０１２７】ステップＳ１１９において、スキャナ本体１のスキャナ本体制御手段３８は、パーソナルコンピュータ３６からのコマンドが入力されたか否か検出し、コマンドが入力された場合は、ステップＳ１２０においてそのコマンドに対応するコマンド処理を実行する。また、入力のない場合は、ステップＳ１１４に移行し、以下ループに入る。
【０１２８】図１０は、上記パーソナルコンピュータ３６から、現在のスキャナの副走査部材の位置情報をパーソナルコンピュータ３６に伝達するようなコマンドが送られてきた際のスキャナ本体１側のコマンド処理ルーチンを表すフローチャートである。
【０１２９】図１０に示すように、ステップＳ２００で、現在のスキャナの副走査部材の位置情報の通信処理ルーチンがコールされると、ステップＳ２０１でスキャナ本体１のスキャナ本体制御手段３８からパーソナルコンピュータ３６に対して、現在のスキャナの副走査部材（ＣＣＤ７）の位置情報が送信され、ステップＳ２０２でリターンする。
【０１３０】パーソナルコンピュータ３６は、これによりスキャナの副走査部材の位置を知ることができ、画像取り込みが最短時間となる副走査部材リセットを命令することができる。」
　
（カ）「【０１７３】図１４は、上記第３の実施形態のスキャナ装置における画像読み取り処理（サムネイルスキャン処理）を示したフローチャートである。
【０１７４】図に示すように、本第３の実施形態のスキャナ装置は、パーソナルコンピュータ３６のモニター画面上のメニューで
サムネイルボタン（不図示）がダブルクリックされると、パーソナルコンピュータ３６はステップＳ６００のサムネイルスキャン処理を開始する
【０１７５】ステップＳ６０１において、パーソナルコンピュータ３６はスキャナ本体１のスキャナ本体制御手段３８に対して駒送りコマンドを送信し、該スキャナ本体１に目的駒の設定を行わせる。なお、スキャナ本体１は目的駒が即に設定されている場合は特に何も行わない。
【０１７６】次に、ステップＳ６０２において、パーソナルコンピュータ３６は設定駒の駒情報をスキャナ本体１から受け取り、その駒のアスペクト、撮影月日等をモニタに表示する。特に、アスペクトはアスペクト枠（図１６点線表示参照）として表示する。
【０１７７】次に、ステップＳ６０３において、パーソナルコンピュータ３６はスキャナ本体１に所定単位駆動コマンドを受信し、該スキャナ本体１に副走査を行わせる。副走査の方向は双方向であり、このため１駒毎に副走査方向は異なる。ここで、サムネイルスキャンの所定単位単は画素数が６４×９６となるような駆動量である。
【０１７８】ステップＳ６０４において、パーソナルコンピュータ３６は、スキャナ本体１に１ライン画像の取り込みコマンドを送信し、１ライン画像信号を読み取らせる。ここでの読み取りモードは非遅延である。
【０１７９】その後、ステップＳ６０５において、パーソナルコンピュータ３６は、スキャナ本体１から送られた画像データを受信し、パーソナルコンピュータ３６側に転送させる。パーソナルコンピュータ３６は、このデータを解析し、画像が有効画像範囲内のものであるのか、否かか判断し、有効範囲のものであるならば、画像データをパーソナルコンピュータ３６モニタに表示する。そしてさらに取得されたデータから適正な本スキャン画像取り込みのためのパラメータを演算し、各駒毎に記憶する。
【０１８０】上記パラメータは、サムネイル画面がクリックされて、プレビューもしくは本スキャンが行われる場合に用いられ、プリスキャン時間を削減し、使い勝手の良いスキャンを可能にする。
【０１８１】パーソナルコンピュータ３６モニタへの表示は、図１７，図１８に示すように１駒毎に表示方向が異なる。
【０１８２】図１９，図２０は、表示の異和感をやわらげるための表示例であり、
図１９は、取り込み中画面を、ウインドウの１部に固定表示し、１駒の取り込み終了毎に１駒サムネイル表示する例である
図２０は、取り込み中バー表示を、ウインドウの１部に固定表示し、１駒の取り込み終了と共に１駒ずつサムネイル画面表示する例である
【０１８３】なお、有効画面範囲か否かは、図２１に示されるような画面位置を示すパーフォレーションエッジを検出することにより行う。
【０１８４】上記パーフォレーションエッジは、２ラインＣＣＤのうち主走査方向の最も空間分解能の高いＧラインにより行う。このため、エッジから有効画像の原点までのシフト量は副走査の方向によって変更する必要がある。
【０１８５】また、有効画像内に入るまでの読み出しは、Ｇライン出力のみとし、時間短縮を図ると共に、エッジ位置検出の誤差を小さくするために、取り込み画像サイズの設定に拘らず、常に所定の高解像度読み取りを行うように工夫している。
【０１８６】次に、ステップＳ６０６において、その駒の、最終ラインデータであるか否かチェックし、最終データであるならば、ステップＳ６０７へ、最終データでなければステップＳ６０３にそれぞれ移行する。
【０１８７】その後、ステップＳ６０７において、その駒が、最終駒であるか否かチェックし、最終駒であるならば、ステップＳ６０８でリターンする。また、最終駒でなければステップＳ６０１に戻る。」
　
　以上の記載からみて、引用例１には次のような発明が記載されているものと認められる。
　「フィルムカートリッジ５０に収納されている写真フィルムを副走査方向に搬送して、前記副走査方向と直交する主走査方向に画像の読み取りを行うスキャナ装置において、
　フィルムカートリッジ５０がカートリッジフィルム用アダプタ２に装着されたことを検出するカートリッジの有無検出スイッチと、
　前記カートリッジの有無検出スイッチの検出信号に基づき、前記カートリッジフィルム用アダプタ２に装着された前記フィルムカートリッジ５０に収納されている写真フィルムを駆動するフィルム駆動手段１９と、
　写真フィルム１駒の取り込み終了を検出する手段と、
　前記１駒取り込み終了検出手段の検出信号に基づき、１駒取り込み終了毎に、写真フィルムが画像読取中であることを画面上に表示することにより、オペレータに通知する通知手段と、
を備えているスキャナ装置。」
　
５．対比
　本願発明と引用例１に記載された発明を対比すると、引用例１に記載された発明の「スキャナ装置」は、本願発明の「画像読取装置」に相当し、引用例１に記載された発明の「ウインドウの１部に取り込み中画面及び取り込み中バー表示を固定表示するモニタ３６」（段落【０１８２】の記載参照。）は、本願発明の「画像取込中であることを通知する通知手段」に相当し、引用例１に記載された発明の「フィルム駆動手段１９」は、本願発明の「フィルム搬送部」に相当することは、明らかである。
　
　そして、引用例１には、フィルムカートリッジ５０に収納されている写真フィルムを副走査方向に搬送し、ＣＣＤ７を用いて副走査方向と直交する主走査方向に画像の読み取りを行うスキャナ装置が記載されている（前掲（イ）の段落【００２５】の記載参照。）から、本願発明と引用例１に記載された発明とは、
　「写真フィルムを副走査方向に搬送して、前記副走査方向と交差する主走査方向に画像の読み取りを行う画像読取装置」
である点で差異はない。
　
　また、引用例１には、写真フィルム１駒の取り込み終了を検出する手段と、前記１駒取り込み終了検出手段の検出信号に基づき、１駒取り込み終了毎に、写真フィルムが画像読取中であることを画面表示することによりオペレータに通知するモニタ３６（通知手段）と、を備えているスキャナ装置が記載されている（前掲（オ）の段落【０１８２】の記載参照。）から、本願発明と引用例１に記載された発明とは、
　「写真フィルムの端を検出する端検出センサと、前記端検出センサの検出信号に基づき、写真フィルムが画像読取中であることをオペレーターに通知する通知手段と、を備えている画像読取装置」
である点で差異はない。
　
　そうすると、本願発明と引用例１に記載された発明とは、
　「写真フィルムを副走査方向に搬送して、前記副走査方向と交差する主走査方向に画像の読み取りを行う画像読取装置において、
　前記写真フィルムの端を検出する端検出センサと、前記端検出センサの検出信号に基づき、写真フィルムが画像読取中であることをオペレーターに通知する通知手段と、を備えている画像読取装置。」
である点で一致し、次の各点で相違する。
　
（相違点１）
　本願発明が、フィルム挿入口からフィルム搬送部へ挿入された前記写真フィルムの先端を検出する先端検出センサと、前記先端検出センサの検出信号に基づき、前記フィルム搬送部へ挿入された前記写真フィルムを搬送する搬送ローラとを備えているのに対して、
　引用例１に記載された発明は、フィルムカートリッジ５０がカートリッジフィルム用アダプタ２に装着されたことを検出するカートリッジの有無検出スイッチと、前記カートリッジの有無検出スイッチの検出信号に基づき、前記カートリッジフィルム用アダプタ２に装着された前記フィルムカートリッジ５０に収納されている写真フィルムを駆動するフィルム駆動手段１９を備えている点。
　
（相違点２）
　本願発明の画像読取中通知手段は、写真フィルムの先端検出センサの検出信号に基づき前記写真フィルムが画像読取中であること通知するのに対し、引用例１に記載された発明の通知手段は、１駒取り込み終了検出手段の検出信号に基づき１駒取り込み終了毎に写真フィルムが画像読取中であることを画面上に表示することにより通知する点。
　すなわち、本願発明では、画像読取中であることを通知する契機が写真フィルムの先端を検出した時点であるのに対して、引用例１に記載された発明では、画像読取中であることを通知する契機が写真フィルムのフィルム各駒の取り込み終了検出時点である点。
　
６．判断
（相違点１について）
　上記相違点について判断するに、フィルム挿入口からフィルム搬送部へ挿入された前記写真フィルムの先端を検出する先端検出センサと、前記先端検出センサの検出信号に基づき、前記フィルム搬送部へ挿入された前記写真フィルムを搬送する搬送ローラとを備え、フィルムの写真画像を読み取ることは、当業者の周知自明な技術常識であるところ、例えば、原審が拒絶の理由に引用した特開平９−９８３４１号公報（平成９年４月８日出願公開）（特に、段落【００１５】の記載及び段落【００２３】〜【００２８】の記載参照。）には、ストリップスＡ（本願発明の写真フィルムに相当）挿入口からストリップスキャリア２２（本願発明のフィルム搬送部に相当）へ挿入された前記ストリップスＡの先端を検出する画面検出センサ５４（本願発明の先端検出センサに相当）と、前記画面検出センサ５４の検出信号に基づき、前記ストリップスキャリア２２へ挿入された前記ストリップスＡを搬送する搬送ローラ５８（本願発明の搬送ローラに相当）とを備え、ストリップスＡの写真画像を読み取ることが記載されている。したがって、引用例１に記載された発明に、前記周知技術事項を適用することにより、本願発明の如く、構成することは、当業者が適宜なし得ることである。
　
（相違点２について）
　上記相違点２について判断する。
(i)画像を読取中であることをオペレータに報知することは、引用例１の他にも、原審が拒絶の理由に引用した特開平６−１７８０８２号公報（平成６年６月２４日出願公開。）にもその旨が記載されているように当業者には周知な技術常識である。すなわち、特開平６−１７８０８２号公報には、プリスキャン毎にタッチパネル上にプリスキャン中であることを表示し、インデックススキャン毎にタッチパネル上にインデックススキャン中であることを表示し、そしてファインスキャン中にタッチパネル上にファインスキャン中であることを表示することが記載されている（段落【００２３】，【００２７】の記載、及び、図５，６，１０の開示を参照。）。
(ii)そして、前述したように、ストリップスＡ（写真フィルムに相当）の先端を検出し、この検出信号に基づいて所定の処理をすることは、当業者の周知自明な技術常識であるから、引用例１に記載された発明にこの周知技術事項を適用して本願発明の如く、フィルム先端検出信号に基づき画像を読取中であることを通知することは、当業者が適宜なし得ることである。
　
７．むすび
　以上のとおり、本願発明は、引用例１に記載された発明及び周知技術に基づいて、当業者が容易に発明をすることができたものであり、特許法第２９条第２項の規定により特許を受けることができないものであるから、本願は特許を受けることができない。
　
　よって、結論のとおり審決する。